(57)【特許請求の範囲】
【請求項１】
駐車した車両の充電を行う複数の充電スタンドと、充電予約を受け付けて前記複数の充電スタンドを一括管理しつつ前記複数の充電スタンドに車両の充電を行わせる充電制御器と、を備え、
前記複数の充電スタンドを構成する各充電スタンドは、前記充電制御器から送信される当該充電スタンドについての充電情報のうち、少なくとも充電待ち台数の情報を報知する報知手段を備えていることを特徴とする駐車場システム。
【請求項２】
前記充電制御器は、前記複数の充電スタンドを構成する一の充電スタンドについての充電予約を受け付けた後、他の充電スタンドについての充電状態に基づいて、当該一の充電スタンドの前記報知手段において報知すべき充電情報を送信することを特徴とする請求項１に記載の駐車場システム。
【請求項３】
前記充電制御器を有するとともに、駐車料金及び充電料金を精算する精算機をさらに備えることを特徴とする請求項１または請求項２に記載の駐車場システム。
【請求項４】
前記充電制御器は、前記複数の充電スタンドにそれぞれ送信する充電情報として、前記充電待ち台数の情報のほか、充電開始予定時間及び充電完了予定時刻のいずれかの情報を含むことを特徴とする請求項１から請求項３のいずれか一項に記載の駐車場システム。
【請求項５】
前記複数の充電スタンドは、複数の車室の一部に設けられて共有され、
前記充電制御器は、充電予約を受け付けるに際して、前記複数の充電スタンドのうち一の充電スタンドと前記複数の車室のうち一の車室の車室番号とを関連付けることを特徴とする請求項１から請求項４のいずれか一項に記載の駐車場システム。
【請求項６】
前記充電スタンドは、前記報知手段による報知を行わせるためのボタンを有し、
前記報知手段は、前記ボタンを操作した場合に、現在の充電状態の情報を報知することを特徴とする請求項１から請求項５のいずれか一項に記載の駐車場システム。
【請求項７】
前記報知手段は、前記充電スタンドによる充電状態を表示する表示部であることを特徴とする請求項１から請求項６のいずれか一項に記載の駐車場システム。
【請求項８】
前記報知手段は、前記充電スタンドによる充電状態を印刷する印刷部であることを特徴とする請求項１から請求項６のいずれか一項に記載の駐車場システム。
【請求項９】
前記充電制御器は、充電予約を行う際に、利用者による入力を受け付ける入力受付部を備えていることを特徴とする請求項１から請求項８のいずれか一項に記載の駐車場システム。
【請求項１０】
前記報知手段は、現在の駐車情報をさらに報知することを特徴とする請求項１から請求項９のいずれか一項に記載の駐車場システム。
【発明の詳細な説明】
【技術分野】
【０００１】
本発明は駐車場システムに係り、特に、充電の利用者が充電状態を容易に確認することを可能とした駐車場システムに関するものである。
【背景技術】
【０００２】
近年、電気自動車が普及しつつあり、電気自動車に対する充電システムが開発されてきている。このような充電システムにおいては、電気自動車を駐車場に駐車させた際に、車両に対して充電することが行われている。
【０００３】
このように駐車場において、車両のバッテリに対して充電を行うシステムとして、従来、例えば、駐車場の利用によって生じる駐車料金および充電設備の利用によって生じる充電料金を管理するサーバと、駐車場の車両出口に設けられる第１精算機と、駐車場の出口以外の場所に設けられる第２精算機と、を備え、充電設備を利用している者が駐車場の利用を終了する場合、第２精算機による精算時に、充電を停止するか否かの選択を受け付け、充電の停止の選択を受け付けた場合、充電料金と駐車料金との合計を第２精算機によって利用者に提示し、充電の継続の選択を受け付けた場合、当該利用者の車両への充電を継続し、充電料金と駐車料金との合計を前記第１精算機によって利用者に提示するようにした技術が開示されている（例えば、特許文献１参照）。
【０００４】
また、その他の技術として、従来から、駐車場の内部に電気自動車のバッテリを充電する充電装置と充電情報入出力装置とを設け、充電を行うと駐車券などに充電情報を記録し、出庫時にこの駐車券などを料金精算機に挿入すると、駐車料金と充電料金が算出され、これら各料金の精算を済ませると出口ゲートが開いて車両の出庫を可能にするようにした技術が開示されている（例えば、特許文献２参照）。
【先行技術文献】
【特許文献】
【０００５】
【特許文献１】特開２０１１−１０３０４８公報
【特許文献２】特開２００１−３１２７７２公報
【発明の概要】
【発明が解決しようとする課題】
【０００６】
しかしながら、前記特許文献１および特許文献２に記載の技術においては、駐車料金と充電料金とを精算することができるものであるが、車両の充電が完了しているのかといった現在の充電状態を確認したい場合があり、このような場合に、従来の技術では、車両の充電状態を確認することができないという問題を有している。すなわち、精算機において、駐車料金の精算をするまで、車両の充電状態を確認することができず、極めて不便であった。
【０００７】
本発明は前記した点に鑑みてなされたものであり、充電の利用者が充電状態を容易に確認することのできる駐車場システムを提供することを目的とするものである。
【課題を解決するための手段】
【０００８】
本発明は前記目的を達成するために、請求項１の発明に係る駐車場システムは、駐車した車両の充電を行う複数の充電スタンドと、充電予約を受け付けて前記複数の充電スタンドを一括管理しつつ前記複数の充電スタンドに車両の充電を行わせる充電制御器と、を備え、
前記複数の充電スタンドを構成する各充電スタンドは、前記充電制御器から送信される当該充電スタンドについての充電情報のうち、少なくとも充電待ち台数の情報を報知する報知手段を備えていることを特徴とする。
請求項２に係る発明は、請求項１において、前記充電制御器は、前記複数の充電スタンドを構成する一の充電スタンドについての充電予約を受け付けた後、他の充電スタンドについての充電状態に基づいて、当該一の充電スタンドの前記報知手段において報知すべき充電情報を送信することを特徴とする。
請求項３に係る発明は、請求項１または請求項２において、前記充電制御器を有するとともに、駐車料金及び充電料金を精算する精算機をさらに備えることを特徴とする。
請求項４に係る発明は、請求項１から請求項３のいずれか一項において、前記充電制御器は、前記複数の充電スタンドにそれぞれ送信する充電情報として、前記充電待ち台数の情報のほか、充電開始予定時間及び充電完了予定時刻のいずれかの情報を含むことを特徴とする。
請求項５に係る発明は、請求項１から請求項４のいずれか一項において、前記複数の充電スタンドは、複数の車室の一部に設けられて共有され、
前記充電制御器は、充電予約を受け付けるに際して、前記複数の充電スタンドのうち一の充電スタンドと前記複数の車室のうち一の車室の車室番号とを関連付けることを特徴とする。
請求項６に係る発明は、請求項１から請求項５のいずれか一項において、前記充電スタンドは、前記報知手段による報知を行わせるためのボタンを有し、
前記報知手段は、前記ボタンを操作した場合に、現在の充電状態の情報を報知することを特徴とする。
【０００９】
請求項７に係る発明は、請求項１から請求項６のいずれか一項において、前記報知手段は、前記充電スタンドによる充電状態を表示する表示部であることを特徴とする。
【００１０】
請求項８に係る発明は、請求項１から請求項６のいずれか一項において、前記報知手段は、前記充電スタンドによる充電状態を印刷する印刷部であることを特徴とする。
【００１１】
請求項９に係る発明は、請求項１から請求項８のいずれか一項において、前記充電制御器は、充電予約を行う際に、利用者による入力を受け付ける入力受付部を備えていることを特徴とする。
【００１２】
請求項１０に係る発明は、請求項１から請求項９のいずれか一項において、前記報知手段は、現在の駐車情報をさらに報知することを特徴とする。
【発明の効果】
【００１５】
請求項１に係る発明によれば、充電スタンドに報知手段を設け、この報知手段により、充電スタンドによる充電状態の情報として、少なくとも充電待ち台数の情報を報知するようにしているので、充電の利用者が充電状態を容易に確認することが可能となる。
【００１６】
請求項７に係る発明によれば、報知手段を充電スタンドによる充電状態を表示する表示部としているので、充電の利用者が表示部に表示された充電状態を容易に確認することが可能となる。
【００１７】
請求項８に係る発明によれば、報知手段を充電スタンドによる充電状態を印刷する印刷部としているので、充電の利用者が印刷部により印刷された充電状態を容易に確認することが可能となる。
【００１８】
請求項９に係る発明によれば、充電制御器に、充電予約を行う際に利用者による入力を受け付ける入力受付部を備えているようにしているので、入力受付部により入力された情報に基づいて充電状態を報知させることができる。
【００１９】
請求項１０に係る発明によれば、報知手段により、現在の駐車料金をさらに報知するようにしているので、報知手段により、駐車場の利用者が充電状態のみならず駐車情報も確認することができる。
【図面の簡単な説明】
【００２２】
【図１】本発明に係る駐車場システムの実施形態を示す概略構成図である。
【図２】本発明に係る駐車場システムの実施形態における制御構成を示す概略構成図である。
【図３】本発明に係る駐車場システムの実施形態における充電表示部による表示例を示す説明図である。
【図４】本発明に係る駐車場システムの実施形態における動作を示すフローチャートである。
【発明を実施するための形態】
【００２３】
以下、本発明の実施の形態について図面を参照しながら説明する。
【００２４】
図１は本発明に係る駐車場システムの実施形態を示す概略図である。図１に示すように、本実施形態の駐車場システムは、例えば、電気自動車などのバッテリの電力で走行する車両１を駐車させるための駐車場に設置されるものであり、この駐車場は、複数の車室２を備えている。各車室２には、車両１の充電を行うための充電スタンド３が設置されている。また、駐車場には、駐車場の駐車料金を精算するための精算機４が設置されており、さらに、駐車場には、例えば、駐車場の各車室２に駐車中の車両１のロックを行うためのロック装置５が設置されている。
【００２５】
本実施形態においては、精算機４と各充電スタンド３とは、充電制御線６を介して接続されており、精算機４と各ロック装置５とは、ロック制御線７を介して接続されている。さらに、本発明に係る駐車場システムは、図示しない外部電源からの電力が供給される分電盤８を備えており、この分電盤８から精算機４および充電スタンド３にそれぞれ電力を供給するように構成されている。そして、分電盤８と各充電スタンド３とは、電源線９を介して接続されている。
【００２６】
次に、本発明の制御構成について、図２を参照して説明する。
【００２７】
本実施形態においては、精算機４の内部には、各種制御を行うための制御部１０が収容されており、精算機４には、駐車した車両１の車室番号や充電受付情報に基づく充電リストなどを記憶するメモリ１１および駐車時間や充電時間などを計測するタイマ１２が設けられている。
【００２８】
また、精算機４には、駐車場の利用者が充電予約の受付などの操作を行うための入力部としてのキー入力部１３が設けられており、精算機４には、所定の表示を行う表示部１４が設けられている。さらに、精算機４には、例えば、領収書などの所定の印刷を行うプリンタユニット１５が設けられており、精算機４には、プリンタユニット１５に所定のカードを供給するためのカード処理機１６が設けられている。
【００２９】
また、精算機４には、充電制御器１７が内蔵されており、利用者がキー入力部１３を操作して車室番号および充電時間を入力して充電予約を行った場合に、車室番号と充電スタンド３とを関連付けた充電受付情報および該当する充電スタンド３による充電待ち台数、充電開始時刻、充電終了時刻などの充電情報を算出して充電リストとしてメモリ１１に記憶させるように構成されている。そして、制御部１０は、メモリ１１に記憶された充電リストから充電の対象となる車室番号を読み出し、この対象となる車室番号情報の充電制御信号を充電制御器１７に出力するように構成されている。
【００３０】
また、各車室２には、図示しない車両センサが設置されており、制御部１０には、車両センサによる車両１の検出信号が入力されるように構成されている。制御部１０は、車両センサからの車両１の検出信号が入力された場合に、ロック装置５を上昇させ車両１のロックを行うように構成されている。
【００３１】
また、各充電スタンド３には、各種充電制御を行う車室側制御部１８が設けられている。また、充電スタンド３には、充電制御器１７との通信を行うための車室側通信部１９が設けられており、この車室側通信部１９と充電制御器１７とは、充電制御線６を介して接続されている。
【００３２】
また、各充電スタンド３には、車室２に駐車した車両１の受電側接続器としての電源プラグ２０が差し込まれる給電側接続器としてのコンセント２１が設けられている。本実施形態においては、コンセント２１部分には、コンセント２１部分を被覆するカバー部材２２が設けられており、さらに、コンセント２１部分には、充電制御器１７の充電制御信号により、カバー部材２２を閉状態に保持するロック機構２３が設けられている。このロック機構２３は、コンセント２１に電源プラグ２０が差し込まれた状態で、カバー部材２２を閉状態に保持するものである。
【００３３】
また、充電スタンド３には、充電スタンド３による充電状態を報知するための表示部としての充電表示部２４が設けられており、この充電表示部２４は、精算機４の充電制御器１７から充電スタンド３に送られる充電情報に基づいて当該充電スタンド３の充電状態を表示するように構成されている。ここで、充電表示部２４により表示される充電状態としては、例えば、図３に示すように、充電待ち台数、充電開始予定時間、充電完了予定時刻、充電料金などを表示するように構成されている。なお、充電表示部２４による表示は、常時表示させるようにしてもよいし、例えば、表示ボタンを設置して、この表示ボタンを操作した場合に表示させるようにしてもよい。
【００３４】
また、充電スタンド３には、電流センサ２５および電圧センサ２６がそれぞれ設けられており、充電スタンド３には、コンセント２１に電気的に接続された電力開閉器２７が設けられている。電力開閉器２７は、電源線９との接続を開閉するスイッチであり、分電盤８からの電源線９が漏電遮断器２８を介して接続されている。また、車室側制御部１８は、充電制御器１７から車室側通信部１９を介して送られる充電ＯＮ信号に基づいて、電力開閉器２７をＯＮ動作させるように構成されている。そして、電力開閉器２７がＯＮ動作されると、電源線９とコンセント２１とを接続してコンセント２１に電源が供給されるように構成されている。
【００３５】
また、電圧センサ２６および電流センサ２５によりコンセント２１に送られる電圧値および電流値を検出して車室側制御部１８に送るように構成されており、車室側制御部１８は、充電予約により設定された充電時間が経過した場合または電流センサ２５による電流値が所定の値以下になった場合に、充電が完了したものとして電力開閉器２７をＯＦＦ動作させるように構成されている。これにより、電源線９とコンセント２１とが切り離され、電力が完全に供給されない状態となる。そして、車室側制御部１８は、充電が完了した場合に充電制御器１７にその旨を送信し、充電制御器１７は、充電制御部に充電完了を伝える。充電制御部は、充電リストに基づいて、他の充電要求がある他の車室２の充電が可能となるように充電制御器１７に制御信号を送り、充電制御器１７により、充電される充電スタンド３を順次切り換えるように制御するものである。
【００３６】
次に、本実施形態の動作について、図４に示すフローチャートを参照して説明する。
【００３７】
本実施形態においては、まず、車両センサにより車両１が所定の車室２に駐車したことを検出したら（ＳＴ１）、制御部１０により、ロック装置５を上昇させて車両１のロックを行う（ＳＴ２）。一方、駐車場２の利用者が車両１の充電を希望する場合は（ＳＴ３：ＹＥＳ）、利用者が充電スタンド３のカバー部材２２を開いて、コンセント２１に、車両１の充電プラグを差し込んだ後、カバー部材２２を閉じる。
【００３８】
その後、精算機４において、キー入力部１３を操作して、充電する車両１を駐車した車室２４の車室番号、充電スタンド３の番号および充電時間を入力して、当該車室番号の充電を行うように充電予約の入力を行う（ＳＴ４）。この充電予約を行うと、制御部１０から充電制御器１７を介して該当する充電スタンド３に信号を出力し、車室側制御部１８によりロック機構２３を動作させてカバー部材２２をロックさせ（ＳＴ５）、ロック機構２３のロックが完了したことにより（ＳＴ６：ＹＥＳ）、充電予約の受付が完了する（ＳＴ７）。
【００３９】
そして、充電予約の受付が完了した後、制御部１０は、他の充電スタンド３による充電状態や該当する充電スタンド３による充電受付情報に基づいて、該当する充電スタンド３による充電待ち台数、の充電開始時刻、充電終了時刻などの充電情報を充電制御器１７から車室側制御部１８に送り、充電表示部２４により、充電状態を表示させるようになっている（ＳＴ８）。
【００４０】
そして、該当する充電スタンド３の充電開始時刻となったら、充電制御器１７から車室側制御部１８に充電ＯＮ信号を送り、車室側制御部１８により、電力開閉器２７をＯＮ動作させ、コンセント２１に電源を供給することにより、充電が開始される（ＳＴ９）。その後、充電予約に基づく充電時間が経過したら、充電制御器１７から車室側制御部１８に充電ＯＦＦ信号を送り、車室側制御部１８により、電力開閉器２７をＯＦＦ動作させ、コンセント２１への電源の供給を停止することにより、充電が完了する（ＳＴ１０）。
【００４１】
利用者が駐車場から出場しようとする場合は、利用者が精算機４のキー入力部１３を操作して車室番号を入力すると（ＳＴ１１）、タイマ１２による駐車時間に応じた駐車料金を精算するとともに、充電時間に応じた充電料金を精算して表示部１４に表示させる。利用者により駐車料金が投入され駐車料金の精算が完了したら（ＳＴ１２）、制御部１０により、ロック装置５を下降させ、車両１のロックを解除するとともに、カバー部材２２のロック機構２３を解除する（ＳＴ１３）。利用者は、電源プラグ２０を外して、カバー部材２２を閉めることにより、車両１の出庫が可能となる。
【００４２】
以上述べたように、本実施形態においては、充電スタンド３に充電表示部２４を設け、充電制御器１７から送られる充電情報に基づいて充電状態を表示するようにしているので、充電の利用者が充電状態を容易に確認することが可能となる。
【００４３】
なお、前記実施形態においては、報知手段として充電表示部２４を用いた場合について説明したが、報知手段として、プリンタなどの印刷部を用い、利用者の要求に応じて充電状態を印刷して報知するようにしてもよい。また、前記実施形態においては、充電表示部２４により充電状態を表示するようにしたが、精算機４から駐車時間や駐車料金などの駐車情報を充電スタンド３に送り、充電表示部２４により、駐車情報を表示させるようにしてもよい。
【００４４】
また、前記実施形態においては、精算機４に充電制御器１７を内蔵させて一定に設置するようにしたが、精算機４と充電制御器１７とを別体にして設置するようにしてもよい。
【００４５】
また、前記実施形態においては、各車室２にそれぞれ充電スタンド３を設けるようにしたが、必ずしも、全ての車室２に充電スタンド３を設ける必要はなく、一部の車室２に充電スタンド３を設けて複数の車室２において、この充電スタンド３を共有するようにしてもよい。
【００４６】
また、前記実施形態においては、各車室２にロック装置５を設置したいわゆるパークロック式の駐車場に適用した場合について説明したが、入場機および精算機４を備えゲートにより入出場させるいわゆるゲート式の駐車場に適用するようにしてもよい。
【００４７】
また、本発明は上記実施形態に限定されるものではなく、本発明の趣旨に基づいて種々の変形が可能である。
【符号の説明】
【００４８】
１  車両
２  車室
３  充電スタンド
４  精算機
５  ロック装置
６  充電制御線
７  ロック制御線
８  分電盤
９  電源線
１０  制御部
１１  メモリ
１２  タイマ
１３  キー入力部
１４  表示部
１５  プリンタユニット
１６  カード処理機
１７  充電制御器
１８  車室側制御部
１９  車室側通信部
２０  電源プラグ
２１  コンセント
２２  カバー部材
２３  ロック機構
２４  充電表示部
２５  電流センサ
２６  電圧センサ
２７  電力開閉器
２８  漏電遮断器
【図１】
0006005398.tif 000002
【図２】
0006005398.tif 000003
【図３】
0006005398.tif 000004
【図４】
0006005398.tif 000005